【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
表面を形成するとともにボタン孔が設けられたカバー部材と、前記ボタン孔に挿入された押しボタンとを有するボタンユニットを備えた筐体に実装される防水シートにおいて、
前記押しボタンを所定の位置に保持し、外周部が前記カバー部材に密着されると共に、前記押しボタンのそれぞれに対向し、且つ前記押しボタンの最大外周より広い水路部を有する溝状の排水路が設けられていることを特徴とする防水シート。
【請求項２】
前記排水路は、前記押しボタンにそれぞれ対向し、且つ前記押しボタンの最大外周内の面積より広い拡大水路部と、これらの拡大水路部を接続する接続水路部とを有し、
前記拡大水路部と前記接続水路部とを結ぶ経路が連続した一つの線となるように形成されていることを特徴とする請求項１に記載の防水シート。
【請求項３】
前記溝状の排水路は、前記シート上に突出する突起によって形成されていることを特徴とする請求項１または２に記載の防水シート。
【請求項４】
前記シートには、前記排水路から出た水を排出する排水孔が設けられ、前記排水孔には開閉自在な蓋が設けられていることを特徴とする請求項１から３の何れか一項に記載の防水シート。
【請求項５】
前記排水路には、撥水処理が施されていることを特徴とする請求項１から４の何れか一項に記載の防水シート。
【請求項６】
前記排水路を振動させる振動手段を有することを特徴とする請求項１から５の何れか一項に記載の防水シート。
【請求項７】
前記排水孔に接続されたタンクを有していることを特徴とする請求項１から６の何れか一項に記載の防水シート。
【請求項８】
表面を形成するとともにボタン孔が設けられたカバー部材と、前記ボタン孔に挿入された押しボタンとを有するボタンユニットと、
外周部が前記カバー部材に密着されると共に、前記押しボタンのそれぞれに対向し、且つ前記押しボタンの最大外周より広い水路部を有する溝状の排水路が設けられている防水シートとを有する筐体に実装され、水を貯めるタンクにおいて、
前記排水路から出た水を排出する排水孔に接続されることを特徴とするタンク。
【請求項９】
前記タンクは、弾性変形することを特徴とする請求項８に記載のタンク。
【請求項１０】
前記タンクは、内部の水量を確認するための透明素材で構成されることを特徴とする請求項８または９に記載のタンク。
【請求項１１】
前記タンクを振動させる振動手段に当接することを特徴とする請求項８から１０の何れか一項に記載のタンク。
【請求項１２】
表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されたボタンユニットとを備え、
前記シートには、前記複数の押しボタンのそれぞれに対向し、且つ前記押しボタンの最大外周より広い水路部を有する溝状の排水路が設けられていることを特徴とする筐体の防排水構造。
【請求項１３】
前記排水路は、前記複数の押しボタンにそれぞれ対向し、且つ前記押しボタンの最大外周内の面積より広い拡大水路部と、これらの拡大水路部を接続する接続水路部とを有し、前記拡大水路部と前記接続水路部とを結ぶ経路が連続した一つの線となるように形成されていることを特徴とする請求項１２に記載の筐体の防排水構造。
【請求項１４】
前記溝状の排水路は、前記シート上に突出する突起によって形成されていることを特徴とする請求項１２または１３に記載の筐体の防排水構造。
【請求項１５】
前記シートには、前記排水路から出た水を排出する排水孔が設けられ、前記排水孔には開閉自在な蓋が設けられていることを特徴とする請求項１２から１４の何れか一項に記載の筐体の防排水構造。
【請求項１６】
前記排水路には、撥水処理が施されていることを特徴とする請求項１２から１５の何れか一項に記載の筐体の防排水構造。
【請求項１７】
前記排水路を振動させる振動手段を有することを特徴とする請求項１２から１６の何れか一項に記載の筐体の防排水構造。
【請求項１８】
前記排水孔に接続されたタンクを有していることを特徴とする請求項１２から１７の何れか一項に記載の筐体の防排水構造。
【請求項１９】
表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されるボタンユニットとを備え、
前記シートには、前記複数の押しボタンにそれぞれ対向し、且つ前記押しボタンの最大外周内の面積より広い水路部を有する溝状の排水路が設けられていることを特徴とする電子機器。
【請求項２０】
前記筐体内に設けられた発熱部材を有し、前記排水路の壁部分が前記発熱部材に当接していることを特徴とする請求項１９に記載の電子機器。
【請求項２１】
前記筐体内に設けられた発熱部材と、前記排水路から排出された水を貯めるタンクとを有し、前記タンクが前記発熱部材に当接していることを特徴とする請求項２０に記載の電子機器。
【手続補正２】
【補正対象書類名】明細書
【補正対象項目名】０００９
【補正方法】変更
【補正の内容】
【０００９】
本発明は、前記課題を解決するため、以下の手段を採用した。
本発明は、
表面を形成するとともにボタン孔が設けられたカバー部材と、前記ボタン孔に挿入された押しボタンとを有するボタンユニットを備えた筐体に実装される防水シートにおいて、
前記押しボタンを所定の位置に保持し、外周部が前記カバー部材に密着されると共に、前記押しボタンのそれぞれに対向し、且つ前記押しボタンの最大外周より広い水路部を有する溝状の排水路が設けられていることを特徴とする。
ここで、前記排水路は、前記押しボタンにそれぞれ対向し、且つ前記押しボタンの最大外周内の面積より広い拡大水路部と、これらの拡大水路部を接続する接続水路部とを有し、前記拡大水路部と前記接続水路部とを結ぶ経路が連続した一つの線となるように形成されている構成にできる。
また、前記溝状の排水路は、前記シート上に突出する突起によって形成されている構成にできる。また、前記シートには、前記排水路から出た水を排出する排水孔が設けられ、前記排水孔には開閉自在な蓋が設けられている構成にできる。また、前記排水路には、撥水処理が施されている構成にできる。また、前記排水路を振動させる振動手段を有する構成にできる。また、前記排水孔に接続されたタンクを有している構成にできる。
また、本発明は、
表面を形成するとともにボタン孔が設けられたカバー部材と、前記ボタン孔に挿入された押しボタンとを有するボタンユニットと、
外周部が前記カバー部材に密着されると共に、前記押しボタンのそれぞれに対向し、且つ前記押しボタンの最大外周より広い水路部を有する溝状の排水路が設けられている防水シートを有する筐体に接続され、水を貯めるタンクにおいて、
前記排水路から出た水を排出する排水孔に接続されることを特徴とする。
ここで、タンクは、弾性変形する構成にできる。また、タンクは、内部の水量を確認するため透明素材で形成されている構成にできる。また、タンクを振動させる振動手段に当接する構成にできる。
また、本発明は、
表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されたボタンユニットとを備え、
前記シートには、前記複数の押しボタンのそれぞれに対向し、且つ前記押しボタンの最大外周より広い水路部を有する溝状の排水路が設けられていることを特徴とする。
【手続補正３】
【補正対象書類名】明細書
【補正対象項目名】００１０
【補正方法】変更
【補正の内容】
【００１０】
本発明では、押しボタンとカバー部材のボタン孔との隙間から、カバー部材とボタンユニットのシートとの間に侵入した水や塵埃などが、シートに設けられた溝状の排水路に集められる。これにより、水や塵埃などが排水路を通って流れやすくなる。
【手続補正４】
【補正対象書類名】明細書
【補正対象項目名】００１１
【補正方法】変更
【補正の内容】
【００１１】
従って、押しボタンとボタン孔との隙間からカバー部材とボタンユニットのシートとの間に侵入した水や塵埃などを、効率的に外部に排出できる。これによって、水によって発生したカビや、塵埃などによって押しボタンのストロークが阻害されるのを防止できるので、押しボタンの操作性が悪くなるのを防止できる。
【手続補正５】
【補正対象書類名】明細書
【補正対象項目名】００１２
【補正方法】変更
【補正の内容】
【００１２】
ここで、前記排水路は、前記押しボタンにそれぞれ対向し、且つ前記押しボタンの最大外周内の面積より広い拡大水路部と、これらの拡大水路部を接続する接続水路部とを有し、前記拡大水路部と前記接続水路部とを結ぶ経路が連続した一つの線となるように形成できる。
【手続補正６】
【補正対象書類名】明細書
【補正対象項目名】００１４
【補正方法】変更
【補正の内容】
【００１４】
また、前記溝状の排水路は、前記シート上に突出する突起によって形成できる。この場合は、排水路を簡単に形成できる。なお、排水路は、シートに凹状の溝を設けることによって形成することもできる。
【手続補正７】
【補正対象書類名】明細書
【補正対象項目名】００１５
【補正方法】変更
【補正の内容】
【００１５】
また、前記シートには、前記排水路から出た水を排出する排水孔が設けられ、前記排水孔には開閉自在な蓋が設けられているのが好ましい。
【手続補正８】
【補正対象書類名】明細書
【補正対象項目名】００１７
【補正方法】変更
【補正の内容】
【００１７】
また、前記排水路には、撥水処理が施されているのが好ましい。撥水処理としては、テフロン（登録商標）やフッ素樹脂のコーティング、ワックス系など各種撥水剤の塗布などを例示できる。この場合は、排水路内の水が撥水処理によって弾かれて排水路内を流れやすくなるので、更に効率的に水などを外部に排出できる。
【手続補正９】
【補正対象書類名】明細書
【補正対象項目名】００１８
【補正方法】変更
【補正の内容】
【００１８】
また、前記排水路を振動させる振動手段を有するのが好ましい。この場合は、排水路内の水や塵埃などを振動させて強制的に流すことができる。
【手続補正１０】
【補正対象書類名】明細書
【補正対象項目名】００１９
【補正方法】変更
【補正の内容】
【００１９】
また、前記排水孔に接続されたタンクを有しているのが望ましい。この場合は、排水路から排出され水が排水孔を経てタンクに集められるので、排水孔から排出された水などによって周囲のものが濡れたり汚れたりするのを防止できる。
【手続補正１１】
【補正対象書類名】明細書
【補正対象項目名】００２０
【補正方法】変更
【補正の内容】
【００２０】
また、本発明は、
表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されるボタンユニットとを備え、
前記シートには、前記複数の押しボタンにそれぞれ対向し、且つ前記押しボタンの最大外周内の面積より広い水路部を有する溝状の排水路が設けられていることを特徴とする。
【手続補正１２】
【補正対象書類名】明細書
【補正対象項目名】００２２
【補正方法】変更
【補正の内容】
【００２２】
また、前記筐体内に設けられた発熱部材を有し、前記排水路の壁部分が前記発熱部材に当接していることを特徴とする。
【手続補正１３】
【補正対象書類名】明細書
【補正対象項目名】００２４
【補正方法】変更
【補正の内容】
【００２４】
また、前記筐体内に設けられた発熱部材と、前記排水路から排出された水を貯めるタンクとを有し、前記タンクが前記発熱部材に当接していることを特徴とする。この場合は、タンクによって発熱部材を冷却できる。
【手続補正１４】
【補正対象書類名】明細書
【補正対象項目名】００９１
【補正方法】変更
【補正の内容】
【００９１】
（付記１）表面を形成するとともにボタン孔が設けられたカバー部材と、前記ボタン孔に挿入された押しボタンとを有するボタンユニットを備えた筐体に実装される防水シートにおいて、
前記押しボタンを所定の位置に保持し、外周部が前記カバー部材に密着されると共に、前記押しボタンのそれぞれに対向し、且つ前記押しボタンの最大外周より広い水路部を有する溝状の排水路が設けられていることを特徴とする防水シート。
（付記２）前記排水路は、前記押しボタンにそれぞれ対向し、且つ前記押しボタンの最大外周内の面積より広い拡大水路部と、これらの拡大水路部を接続する接続水路部とを有し、
前記拡大水路部と前記接続水路部とを結ぶ経路が連続した一つの線となるように形成されていることを特徴とする付記１に記載の防水シート。
（付記３）前記溝状の排水路は、前記シート上に突出する突起によって形成されていることを特徴とする付記１または２に記載の防水シート。
（付記４）前記シートには、前記排水路から出た水を排出する排水孔が設けられ、前記排水孔には開閉自在な蓋が設けられていることを特徴とする付記１から３の何れかに記載の防水シート。
（付記５）前記排水路には、撥水処理が施されていることを特徴とする付記１から４の何れかに記載の防水シート。
（付記６）前記排水路を振動させる振動手段を有することを特徴とする付記１から５の何れかに記載の防水シート。
（付記７）前記排水孔に接続されたタンクを有していることを特徴とする付記１から６の何れかに記載の防水シート。
（付記８）表面を形成するとともにボタン孔が設けられたカバー部材と、前記ボタン孔に挿入された押しボタンとを有するボタンユニットと、
外周部が前記カバー部材に密着されると共に、前記押しボタンのそれぞれに対向し、且
つ前記押しボタンの最大外周より広い水路部を有する溝状の排水路が設けられている防水シートとを有する筐体に実装され、水を貯めるタンクにおいて、
前記排水路から出た水を排出する排水孔に接続されることを特徴とするタンク。
（付記９）前記タンクは、弾性変形することを特徴とする請求項８に記載のタンク。
（付記１０）前記タンクは、内部の水量を確認するため透明素材で構成されることを特徴とする付記８または９に記載のタンク。
（付記１１）タンクを振動させる振動手段に当接することを特徴とする付記８から１０の何れかに記載のタンク。
（付記１２）表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されたボタンユニットとを備え、
前記シートには、前記複数の押しボタンのそれぞれに対向し、且つ前記押しボタンの最大外周より広い水路部を有する溝状の排水路が設けられていることを特徴とする筐体の防排水構造。
【手続補正１５】
【補正対象書類名】明細書
【補正対象項目名】００９２
【補正方法】変更
【補正の内容】
【００９２】
（付記１３）前記排水路は、前記複数の押しボタンにそれぞれ対向し、且つ前記押しボタンの最大外周より広い拡大水路部と、これらの拡大水路部を接続する接続水路部とを有し、前記拡大水路部と前記接続水路部とが連続する一つの線となるように形成されていることを特徴とする付記１２に記載の筐体の防排水構造。
【手続補正１６】
【補正対象書類名】明細書
【補正対象項目名】００９３
【補正方法】変更
【補正の内容】
【００９３】
（付記１４）前記溝状の排水路は、前記シート上に突出する突起によって形成されていることを特徴とする付記１２又は１３に記載の筐体の防排水構造。
【手続補正１７】
【補正対象書類名】明細書
【補正対象項目名】００９４
【補正方法】変更
【補正の内容】
【００９４】
（付記１５）前記シートには、前記排水路から出た水を排出する排水孔が設けられ、前記排水孔には開閉自在な蓋が設けられていることを特徴とする付記１２から１４の何れかに記載の筐体の防排水構造。
【手続補正１８】
【補正対象書類名】明細書
【補正対象項目名】００９５
【補正方法】変更
【補正の内容】
【００９５】
（付記１６）前記排水路には、撥水処理が施されていることを特徴とする付記１２から１５の何れかに記載の筐体の防排水構造。
【手続補正１９】
【補正対象書類名】明細書
【補正対象項目名】００９６
【補正方法】変更
【補正の内容】
【００９６】
（付記１７）前記排水路を振動させる振動手段を有することを特徴とする付記１２から１６の何れかに記載の筐体の防排水構造。
【手続補正２０】
【補正対象書類名】明細書
【補正対象項目名】００９７
【補正方法】変更
【補正の内容】
【００９７】
（付記１８）前記排水孔に接続されたタンクを有していることを特徴とする付記１２から１７の何れかに記載の筐体の防排水構造。
【手続補正２１】
【補正対象書類名】明細書
【補正対象項目名】００９８
【補正方法】変更
【補正の内容】
【００９８】
（付記１９）前記排水孔が複数設けられ、前記複数の排水孔がそれぞれ前記タンクに接続されていることを特徴とする付記１８に記載の筐体の防排水構造。
【手続補正２２】
【補正対象書類名】明細書
【補正対象項目名】００９９
【補正方法】変更
【補正の内容】
【００９９】
（付記２０）前記排水路が複数に分けて設けられ、前記複数の排水路における前記拡大水路部と前記接続水路部とを結ぶ経路がそれぞれ連続した一つの線となるように形成されると共に、前記複数の排水路がそれぞれ前記タンクに接続されていることを特徴とする付記１８又は１９に記載の筐体の防排水構造。
【手続補正２３】
【補正対象書類名】明細書
【補正対象項目名】０１００
【補正方法】変更
【補正の内容】
【０１００】
（付記２１）前記タンクが弾性を有していることを特徴とする付記１８から２０の何れかに記載の筐体の防排水構造。
【手続補正２４】
【補正対象書類名】明細書
【補正対象項目名】０１０１
【補正方法】変更
【補正の内容】
【０１０１】
（付記２２）前記タンクは、前記排水孔に接続される複数の接続口と、前記タンク内の空気を外部に排出する排気口とを有し、
前記複数の接続口及び前記排気口には、それぞれ逆止弁が設けられていることを特徴とする付記１８から２１の何れかに記載の筐体の防排水構造。
【手続補正２５】
【補正対象書類名】明細書
【補正対象項目名】０１０２
【補正方法】変更
【補正の内容】
【０１０２】
（付記２３）前記タンクの押圧時には、前記排気口の前記逆止弁が開かれると共に、前記接続口の前記逆止弁が閉じられて、前記タンク内の空気が前記排気口から外部に排気され、
前記タンクの非押圧時には、前記接続口の前記逆止弁が開かれると共に、前記排気口の前記逆止弁が閉じられて、前記排水路内の水が前記タンク内に吸引されることを特徴とする付記２１又は２２に記載の筐体の防排水構造。
【手続補正２６】
【補正対象書類名】明細書
【補正対象項目名】０１０３
【補正方法】変更
【補正の内容】
【０１０３】
（付記２４）前記タンクは前記複数の排水孔にそれぞれ接続される複数の接続口を有し、前記複数の接続口にそれぞれ前記逆止弁が設けられていることを特徴とする付記１９から２３の何れかに記載の筐体の防排水構造。
【手続補正２７】
【補正対象書類名】明細書
【補正対象項目名】０１０４
【補正方法】変更
【補正の内容】
【０１０４】
（付記２５）前記タンクは、内部を確認する確認部を有することを特徴とする付記１８から２４の何れかに記載の筐体の防排水構造。
【手続補正２８】
【補正対象書類名】明細書
【補正対象項目名】０１０５
【補正方法】変更
【補正の内容】
【０１０５】
（付記２６）前記排気口には、水を通さず空気を通すフィルタが設けられていることを特徴とする付記２２から２５の何れかに記載の筐体の防排水構造。
【手続補正２９】
【補正対象書類名】明細書
【補正対象項目名】０１０６
【補正方法】変更
【補正の内容】
【０１０６】
（付記２７）表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシートを有し、前記シートが前記カバー部材の裏面に沿って配置されると共に、前記シートの外周部が前記カバー部材に密着され、前記押しボタンが前記カバー部材の前記ボタン孔に挿入されるボタンユニットとを備え、
前記シートには、前記複数の押しボタンにそれぞれ対向し、且つ前記押しボタンの最大外周内の面積より広い水路部を有する溝状の排水路が設けられていることを特徴とする電子機器。
【手続補正３０】
【補正対象書類名】明細書
【補正対象項目名】０１０７
【補正方法】変更
【補正の内容】
【０１０７】
（付記２８）前記筐体内に設けられた発熱部材を有し、前記排水路の壁部分が前記発熱部材に当接していることを特徴とする付記２７に記載の電子機器。
【手続補正３１】
【補正対象書類名】明細書
【補正対象項目名】０１０８
【補正方法】変更
【補正の内容】
【０１０８】
（付記２９）前記筐体内に設けられた発熱部材と、前記排水路から排出された水を貯めるタンクとを有し、前記タンクが前記発熱部材に当接していることを特徴とする付記２８に記載の電子機器。